(57)【要約】【課題】屋外緑化と室内緑化とに適した緑化仮設構造体であって、構築物と一体化することなく簡単に組立て且つ解体し得るとともに、緑化パネルの部分的な交換又はメンテナンスを容易に行うことができる緑化仮設構造体を提供する。【解決手段】緑化仮設構造体は、フレーム体（８）に緑化ブロック（７）を収容してなる緑化パネル（６）と、緑化パネルを支持する支持体（１）と、緑化パネルを支持体に着脱自在に装着する装着手段（４，９）とを備える。支持体は、少なくとも２本の支柱（３）と、支柱間に架け渡された横架材（４）とを有する。支持体の横架材又は支柱に対して、緑化パネルの背面又は両側を装着手段によって装着することにより、支持体の前面に多数の緑化パネルを連続又は不連続に配置した緑化面が構築される。【選択図】図１
2011055843.tif 000002
【特許請求の範囲】
【請求項１】
フレーム体に緑化ブロックを収容した緑化パネルと、
この緑化パネルの支持体と、
緑化パネルを支持体に着脱自在に装着する装着手段とを備え、
上記支持体は、少なくとも２本の支柱材とこの支柱材間に架け渡された横架材とを有し、
緑化パネルの背面もしくは両側を支持体の横架材もしくは支柱材に上記装着手段によって装着することにより、支持体前面に、多数の緑化パネルが連続もしくは不連続に配置された緑化面を構築した、ことを特徴とする緑化仮設構造体。
【請求項２】
請求項１記載の緑化仮設構造体において、
前記緑化パネルに、水及び／もしくは液肥を供給する給液手段を更に備える、ことを特徴とする緑化仮設構造体。
【請求項３】
前記緑化パネルの緑化ブロックは、ピートモスから成る植生基材に種もしくは種苗を植え付けることにより形成されている、ことを特徴とする請求項１もしくは２記載の緑化仮設構造体。
【請求項４】
前記緑化パネルのフレーム体は、前記緑化ブロックの外周面を取囲む帯板材から成る周面フレームと、緑化ブロックを背面から抱持する背面フレームとを備える、ことを特徴とする請求項１から３のいずれかに記載の緑化仮設構造体。
【請求項５】
前記フレーム体の周面フレームは、前記緑化ブロックの外周面を奥行き方向に所要の間隔を置いて取囲む複数条の帯板材から成る、ことを特徴とする請求項４記載の緑化仮設構造体。
【請求項６】
前記フレーム体の背面フレームは、前記緑化ブロックの背面を上下方向に所要の間隔を置いて抱持する複数条の帯板材から成る、ことを特徴とする請求項４記載の緑化仮設構造体。
【請求項７】
前記フレーム体は、線材によって、緑化ブロックの底部と左右両側部と前後中央部とを支える形状に屈曲形成されている、ことを特徴とする請求項１もしくは２記載の緑化仮設構造体。
【請求項８】
前記フレーム体は、帯板材によって、緑化ブロックの底部と左右両側部と前後中央部とを支える形状に折曲形成されている、ことを特徴とする請求項１もしくは２記載の緑化仮設構造体。
【請求項９】
前記支持体は、自立可能な支持体である、ことを特徴とする請求項１もしくは２記載の緑化仮設構造体。
【請求項１０】
前記支持体は、所要の間隔を置いて三点位置に立設された３本の支柱材と、これらの隣り合う支柱材間に、架け渡された横架材とから成り、
支柱材間の横架材に前記装着手段を介して複数の緑化ブロックを装着することにより、全体で３つの緑化面が構築されて成る、ことを特徴とする請求項１もしくは２記載の緑化仮設構造体。
【請求項１１】
前記支持体は、所要の間隔を置いて立設された複数本の前方支柱材と、これらの前方支柱材の後方に同様に所要の間隔を置いて立設された複数本の後方支柱材と、これら前方支柱材及び後方支柱材を連結する繋ぎ杆と、隣り合う前方支柱材同士もしくは後方支柱材同士を連結する横架材とから成る自立可能な骨組み体によって形成され、
横架材または横架材と支柱材とに前記装着手段を介して緑化パネルを多数装着することにより、支持体の前後面に２面の緑化面が構築されて成る、ことを特徴とする請求項１もしくは２記載の緑化仮設構造体。
【請求項１２】
前記支持体の横架材は、支柱材間に架け渡された直線状の杆材で、上向き溝を有するレール状に形成され、緑化パネルの背面に取付けられた掛止め部材とともに前記装着手段を構成し、
横架材の上向き溝に掛止め部材を横架材の長手方向に摺動自在に掛止めして緑化パネルを支持体に装着する、ことを特徴とする請求項１もしくは２記載の緑化仮設構造体。
【請求項１３】
前記掛止め部材は、緑化パネルの背面フレームに固定されたフック部材から成る、ことを特徴とする請求項１２記載の緑化仮設構造体。
【請求項１４】
前記支持体の横架材は、杆材を大径の略馬蹄状に湾曲形成して成り、
複数本の横架材が、それぞれ上下方向に間隔をおくとともに長さ方向任意の複数箇所を前記複数の支柱に固定され、
横架材に前記装着手段を介して装着される緑化パネルが、上下及び左右方向に間隔を置いて配設された、ことを特徴とする請求項１もしくは２記載の緑化仮設構造体。
【請求項１５】
前記支持体の支柱材及び横架材は、丸パイプ材から成り、
前記装着手段は、緑化パネルの背面フレーム体に固定したクランプ材で、
このクランプ材を介して緑化パネルが横架材もしくは横架材及び支柱材に着脱自在に装着されている、ことを特徴とする請求項１もしくは２記載の緑化仮設構造体。
【請求項１６】
前記装着手段は、緑化パネルの緑化ブロック前面を後傾させた状態で支持体に装着させる、ことを特徴とする請求項１もしくは２記載の緑化仮設構造体。
【請求項１７】
前記装着手段は、前記緑化ブロックの後傾角度を調整自在とする、ことを特徴とする請求項１６記載の緑化仮設構造体。
【請求項１８】
前記緑化パネルと支持体と装着手段とによって、支持体前面に、多数の緑化パネルを連続もしくは不連続の面状に配置した緑化面を構築されて成る、ことを特徴とする請求項１もしくは２記載の緑化仮設構造体。
【請求項１９】
前記給液手段は、液源と、この液源から各緑化パネルに水もしくは液肥を供給する管路と、管路先端にあって水もしくは液肥を流出させるノズルと、管路中途に設けられた給液用ポンプとを備え、
ノズルを緑化パネルの緑化ブロック中に挿脱自在に挿し込みもしくは緑化ブロックと緑化ブロックとの間に挟みこみ、給液用ポンプによって液源から水もしくは液肥を、管路を介して緑化パネルに送り込む、ことを特徴とする請求項２記載の緑化仮設構造体。
【請求項２０】
前記管路は、緑化パネルの背後に配管された主管と、この主管から前方に向けて分岐された多数の細いチューブとから成り、各チューブの先端に水もしくは液肥を噴霧させる針状ノズルが取付けられている、ことを特徴とする請求項１９記載の緑化仮設構造体。
【請求項２１】
前記給液手段は、タイマーを備え、所定時間に給液用ポンプを稼働させて緑化パネルに水もしくは液肥を供給する、ことを特徴とする請求項２もしくは１９記載の緑化仮設構造体。
【請求項２２】
前記支持体は、下部に緑化パネルを通過した余剰液を受ける着脱自在なトレイを備え、トレイ内に溜られた余剰液を再使用のために給液手段に回送させて循環させる、ことを特徴とする請求項２記載の緑化仮設構造体。
【請求項２３】
支持体間に多数個の緑化パネルを不連続な面状に配設するとともに不連続な部分に装飾パネル及び／もしくはボックスパネルを配設して、支持体の前面を緑化パネル並びに装飾パネル及び／もしくはボックスパネルによって覆い尽くすようにしてあり、
緑化パネルと装飾パネルとボックスパネルが、装着手段によって支持体に着脱自在に装着されている、ことを特徴とする請求項１もしくは２記載の緑化仮設構造体。
【請求項２４】
装飾パネル及びボックスパネルは、装着手段によって背面が支持体に着脱自在に装着される、ことを特徴とする請求項２２記載の緑化仮設構造体。
【発明の詳細な説明】
【技術分野】
【０００１】
本発明は、屋内及び屋外に設置可能な、緑化パネルを利用した緑化仮設構造体に関するものである。
【背景技術】
【０００２】
建物や擁壁などの構築物の表面緑化には、最近、緑化パネルが多く用いられている。緑化パネルは、植生基盤となる植生マットもしくは緑化ブロックを所定のパネル枠に収容して成り、一般的には、擁壁や建物の壁面あるいは屋根面など既設の構築物の被取付け面に、パネル枠を接着剤によって直付けしたり、あるいは取付け治具などを介して固定される（例えば日本国特許公開平１１−２９３６８９号公報（以下、特許文献１という）と、日本国特開２００１−２１４４４７号公報（以下、特許文献２という）参照）。
【０００３】
また、横方向に間隔をおいて配設されたパネル取付縦枠間に緑化パネルを配設し、緑化パネルの側部をパネル取付縦枠に取付けるようにした緑化パネルも提案されている（日本国特許公開２００１−３２０９６８号公報（以下、特許文献３という）参照）。この緑化パネルのパネル取付縦枠は、構築物の壁面に固定されたアンカープレートにボルトナットを介して取付けられる。
【先行技術文献】
【特許文献】
【０００４】
【特許文献１】特開平１１−２９３６８９号公報
【特許文献２】特開２００１−２１４４４７号公報
【特許文献３】特開２００１−３２０９６８号公報
【発明の概要】
【発明が解決しようとする課題】
【０００５】
しかし、特許文献１から３に記載された緑化パネルは、いずれも、構築物の壁面などに固定されて構築物と一体化され、常設されるものであるため、その取り替えが不能あるいは厄介であり、簡単に移動させることもできない。
【０００６】
また、これらの従来技術は、緑化パネルが構築物の壁面などに平行に固定され、固定後は緑化パネル背面が隠されてしまうために、メンテナンスが容易でない。しかも、戸外での設置を予定したものであるため、室内の壁面などを手軽に緑化することはできない。
【０００７】
本発明の目的は、構築物と一体化されることなく簡単に組み立て及び解体でき、緑化パネルの部分的な取り換えやメンテナンスも容易に行うことができるばかりでなく、屋外緑化と室内緑化にも最適な緑化仮設構造体を提供することにある。
【課題を解決するための手段】
【０００８】
本発明は、上記した目的を達成するために、次の構成を備える点に特徴がある。
【０００９】
すなわち、請求項１に係る本緑化仮設構造体は、フレーム体に緑化ブロックを収容した緑化パネルと、この緑化パネルの支持体と、緑化パネルを支持体に着脱自在に装着する装着手段とを備える。支持体は、少なくとも２本の支柱材とこの支柱材間に架け渡された横架材とを有する。そして、緑化パネルの背面もしくは両側を支持体の横架材もしくは支柱材に上記装着手段によって装着することにより、支持体前面に多数の緑化パネルを連続もしくは不連続に配置させた緑化面を構築させた、ものである。
【００１０】
また、請求項２に係る本緑化仮設構造体は、請求項１に係る緑化仮設構造体の構成に加え、緑化パネルに、水及び／もしくは液肥を供給する給液手段を更に備える、点に特徴を有する。
【００１１】
緑化パネルの緑化ブロックは、植生基材（例えばピートモス）に種あるいは種苗を植え付けて形成されている。植生基材には、根張りを良好に確保して植物を生育を可能とする他の種々の基材を用いることができる。緑化パネルの大きさは、仮設構造体の大きさや取扱いの利便性、緑化面のまとまりなどを考慮して適宜設定される。
【００１２】
緑化パネルのフレーム体は、緑化ブロックを収容可能なフレーム体であれば、面材や杆材、線材などその材質や構造あるいは形状などの如何を問うものではない。例えば、緑化ブロックの外周面を取囲む帯板材から成る周面フレームと、緑化ブロックを背面から抱持する背面フレームとによって構成される。面材を用いる場合には、パンチングメタルなどの多孔板を採用しても良い。
【００１３】
フレーム体の周面フレームを帯板材によって形成する場合、緑化ブロックの外周面を奥行き方向に所要の間隔を置いて取囲むようにし、また背面フレームの場合、緑化ブロック背面を上下方向に所要の間隔を置いて抱持する複数条の帯板材によって形成することもできる。
【００１４】
フレーム体を線材によって屈曲形成する場合、緑化ブロックの底部と左右両側部と前後中央部とを支える形状に形成すると良い。
【００１５】
緑化パネルを支持する支持体は、例えば、所要の間隔を置いて起立する少なくとも２本の支柱材とこの支柱材間に架け渡された横架材とから成る。
【００１６】
支持体は、屋内配置型と屋外配置型とに分けて、それぞれに適した構造を選択すると良い。望ましくは自立可能な構造とする。場合によっては、支持体は、室内壁面などに仮り固定可能な構造にもできる。支柱材には、アングル材、丸棒材、角パイプあるいは丸パイプ材などの杆材が用いられる。また、自立構造の支持体は、底部に滑動部材を設けて移動可能としても良い。
【００１７】
支持体を、三点位置に立設された３本の支柱材と、これらの隣り合う支柱材間に架け渡された横架材とによって構成すれば、支柱材間の横架材に前記装着手段を介して複数の緑化ブロックを装着することにより、全体で３つの緑化面が構築される。
【００１８】
また、支持体を、所要の間隔を置いて立設された複数本の前方支柱材と、これらの前方支柱材の後方に同様に所要の間隔を置いて立設された複数本の後方支柱材と、これら前方支柱材及び後方支柱材を連結する繋ぎ杆と、隣り合う前方支柱材同士もしくは後方支柱材同士を連結する横架材とによって自立可能な骨組み体とすることもできる。この骨組み体による支持体であれば、前面と後面とに緑化パネルが装着されて前後２面の緑化面が構築される。
【００１９】
前記支持体の横架材を、支柱材間に架け渡される直線状の杆材によって構成する場合、例えば、上向き溝を有する断面略Ｕ字状のレール材にすることもできる。この場合、横架材は、緑化パネルの背面に取付けられた掛止め部材とともに前記装着手段を構成し、上向き溝にフック状の掛止め部材を掛け止めさせて緑化パネルを横架材の長手方向に摺動自在に支持する。 掛止め部材は、緑化パネルの背面フレームに一体形成されたものであっても良い。
【００２０】
また、支持体の横架材は、直線状でなく、杆材を大径の略Ｕ字状に湾曲形成したものであっても良い。複数本の横架材は、それぞれ上下方向に間隔をおくとともに長さ方向任意の複数箇所を前記複数の支柱に固定され、横架材に装着手段を介して装着される緑化パネルは、上下及び左右方向に間隔を置き、平面略馬蹄状に配設される。
【００２１】
装着手段は、緑化パネルを支持体に着脱自在に装着する態様のものであれば、その構造を別段制限するものではない。支持体の支柱材及び横架材を丸パイプ材によって形成すれば、装着手段は、緑化パネルの背面フレーム体に固定したクランプ材であっても良い。
【００２２】
装着手段によって、緑化パネルは、支持体に上下方向と長さ方向に間隔をおいてあるいは連続もしくは不連続の面を成すように取付けられる。
【００２３】
また、装着手段は、緑化パネルを緑化ブロック前面が垂直になった状態で支持体に取付けるものに限定されず、緑化ブロック前面が後傾した状態で緑化パネルを支持体に装着させるものも含む。望ましくは、装着手段は、緑化ブロックの後傾角度を調整自在とする。
【００２４】
請求項２に係る発明の給液手段は、例えば、液源と、この液源から各緑化パネルに水もしくは液肥を供給する管路と、管路先端にあって水もしくは液肥を流出させるノズルと、管路中途に設けられた給液用ポンプとを備える。給液手段は、ノズルを緑化パネルの緑化ブロック中に挿脱自在に挿し込みあるいは緑化ブロックと緑化ブロックとの間に挟み込んで、給液用ポンプによって液源からの水もしくは液肥を、管路を介して緑化パネルに送り込む。
【００２５】
管路は、例えば、緑化パネルの背後に配管された主管と、この主管から前方に向けて分岐された多数の細いチューブとから成る。各チューブの先端には、水もしくは液肥を噴霧させる針状ノズルが取付けられている。周面フレームの上フレーム材の内面に、上記管路を配設し、緑化ブロックと対面する管路周壁に設けた多数の供給孔から、水等を供給するようにしても良い。上フレーム材は、開閉自在な蓋体構造を成すように形成したものであっても良い。
【００２６】
また、給液手段には、タイマーを設け、所定時間に給液用ポンプを稼働させて緑化パネルに水もしくは液肥を供給するようにしても良い。
【００２７】
支持体は、下部に、緑化パネルを通過した余剰液を受ける着脱自在なトレイを備える。トレイ内に溜められた余剰液は、再使用のために給液手段に回送させて循環される。
【００２８】
支柱間領域前面に配置される緑化パネルは、例えば屋内配置型のものにあっては、当該領域前面を覆い尽くすようにして縦横連続的な面状に配置されるようにすると良い。多数個の緑化パネルを縦横に不連続な面状に配設する場合、不連続部分には装飾パネル及び／もしくはボックスパネルが配設される。これにより、支持体の前面は、緑化パネルと、装飾パネル及び／もしくはボックスパネルによって覆い尽くされる。
【００２９】
緑化パネルと装飾パネルとボックスパネルは、ともに装着手段によって支持体に着脱自在に装着される。装飾パネルとボックスパネルは、装着手段によって背面が支持体に着脱自在に装着される。
【図面の簡単な説明】
【００３０】
【図１】図１は本発明の一実施例に係る緑化仮設構造体であって、一つの緑化パネルを取り外した状態の正面図である。
【図２】図２は図１の緑化仮設構造体の緑化パネルの外観分斜視図である。
【図３】図３は支持体と緑化パネルのフレーム体との装着状態を示す斜視図である。
【図４】図４は緑化仮設構造体の拡大側面図である。
【図５】図５は支持体の支柱と横架材との結合部の拡大平面図である。
【図６】図６は緑化パネルへの給液手段の一例を示す外観斜視図である。
【図７】図７は本発明の別の実施例に係る緑化仮設構造体の正面図である。
【図８】図８は図７の構造体にも用いられる装飾パネルを背面がわから見た斜視図である。
【図９】図９は別の実施例に係る給液手段を示す外観斜視図である。
【図１０】図１０は本発明の別の実施例に係る緑化仮設構造体の正面図である。
【図１１】図１１は図１０の緑化仮設構造体の側面図である。
【図１２】図１２は支持体の支柱と横架材との結合部の拡大平面図である。
【図１３】図１３は図１０の緑化仮設構造体の他例を示す正面図である。
【図１４】図１４は図１３の緑化仮設構造体の側面図である。
【図１５】図１５は本発明の更に別の実施例に係る屋外設置型緑化仮設構造体の外観斜視である。
【図１６】図１６は図１５の緑化仮設構造体に用いられる緑化パネルのフレーム体の側面図である。
【図１７】図１７は図１６のフレーム体の正面図である。
【図１８】図１８は図１６のフレーム体の背面図である。
【図１９】図１９は本発明の他の実施例に係る屋外設置型緑化仮設構造体の外観斜視図である。
【図２０】図２０は本発明に用いられる緑化パネルのフレーム体の他例を示す斜視図である。
【図２１】図２１は図２０のフレーム体を用いた緑化パネルの使用例を示す概略斜視図である。
【発明を実施するための形態】
【００３１】
以下、本発明を図示した実施例に基づいて詳説する。
【００３２】
図１は、本発明の一実施例に係る室内緑化仮設構造体の一つの緑化パネルを取り外した状態の正面図、図２は緑化パネルの外観斜視図、図３は支持体と緑化パネルのフレーム体との装着状態を示す組み立て斜視図、図４は緑化仮設構造体の拡大側面図、図５は支持体の支柱と横架材との結合部を拡大して示す平面図、図６は緑化パネルへの給液手段の一例を示す外観斜視図である。
【００３３】
図１及び図３において図中符号１は、緑化仮設構造体の骨組み体を成す支持体である。
【００３４】
支持体１は、基台２と、この基台２に所要の間隔を置いて立設された左右の支柱３，３と、この支柱間に水平方向に延びる横架材４とから成っている。
【００３５】
支柱３は、図３及び図４に見られるようにＬ型アングル材から成り、溝を互いに内向きにして基端部３ａを基台２に固定されている。
【００３６】
横架材４は、所定の間隔を保って平行に延びる上溝を有する断面略Ｕ字状もしくはＪ字状の上レール４ａ及び下レール４ｂの両端にＬ型ブラケット４ｃを固着して成り、ボルトナットを介してＬ型ブラケット４ｃを支柱３の側片に着脱自在に固定されている（図５参照）。横架材４は、後述する緑化パネル６の配置段数分だけ支柱３に横設され、支柱間空間の前面に緑化パネル６を個別に着脱自在に支持する。図１の仮設構造体では上下方向に所定の間隔を置いて５段取付けられている（図３では、５段のうちの下から３段だけを示す）。
【００３７】
基台２は、正面板を有しないボックス形状を成し、内面両隅に支柱３の基端部３ａが固定されている。基台２の内側には、後述する水もしくは液肥の余剰分などを受けるトレイ５が前後方向に挿脱自在に収納されている。トレイ５には、図示しないドレイン抜きホースを連通させるようにしても良い。
【００３８】
６は、支持体１の前面に装着された緑化パネルで、上下方向に５段、左右方向に３列の計１５個、配設されている。
【００３９】
緑化パネル６は、緑化ブロック７とこれを支持、収容するフレーム体８とから成る。
【００４０】
緑化ブロック７は、緑化ブロック本体に種や種苗を植え付けることにより構成されている。緑化ブロック本体は、ピートモスなどの植物遺体の繊維が三次元的に絡み合った構造で空隙率が大きく透水性に富む立体的繊維状体を、天然の澱粉糊やＰＶＡ（ポリビニルアルコール）とそのエステル、酢酸エステル、ポリメチルセルロースなどの水溶性高分子を含む結合剤によって結合し、乾燥させたものなどが採用される。この緑化ブロック本体は、軽量で、弾力性に優れ、植物の根張りを保証する。大きさは別段制限されるものではないが、例えば３０ｃｍ×３０ｃｍ四方で、厚み８．５ｃｍの直方体形状に形成される。
【００４１】
フレーム体８は、図２と図３に示すように、緑化ブロック７の上下左右の４周面を取囲む周面フレーム８ａと、背面から左右両側にかけて緑化ブロックを抱持する背面フレーム８ｂとから成る。
【００４２】
周面フレーム８ａは、所要幅の帯板材によって枠状に形成され、緑化ブロック７の周面の奥行き幅方向の前方部と後方部の２箇所を取り囲む。２条の周面フレーム８ａ，８ａの間には、緑化ブロック外周面の奥行き幅中間部の表面が枠状に露呈する（図２参照）。
【００４３】
背面フレーム８ｂは、周面フレーム８ａと同様に所要幅の帯板材によって、背面部と両側面部とを有する略コ字状に屈曲形成され、両側面部を周面フレーム８ａの側面部内面に固着することにより、周面フレームと一体化されている（図３参照）。背面フレーム８ｂは、緑化ブロック７の背面上下方向に上記した横架材４の上レール４ａと下レール４ｂの間隔をおいて２条、設けられている。
【００４４】
背面フレーム８ｂの背面部外面には、それぞれ上レール４ａもしくは下レール４ｂに摺動自在に掛止される上部フック９ａと下部フック９ｂが取付けられている。上部フック９ａと下部フック９ｂは、ともに左右２個のフック片から成る。
【００４５】
緑化パネル６は、背面フレーム８ｂの上部フック９ａを横架材４の上レール４ａに、また下部フック９ｂを同じ横架材４の下レール４ｂにそれぞれ掛止させることで、支持体の前面に着脱自在に取付けられる。支持体１に取付けられた緑化パネル６は、各段の横架材４のレール４ａ，４ｂに沿って横方向に連続するともに、全段の横架材４に掛止されて縦方向に連続し、支持体１の前面を図１に示すように上下左右にほぼ隙間なく、覆う。
【００４６】
支持体１には、両側に、左右両端に位置する緑化パネル６の外側面を遮蔽する側板（図示しない）を設けるようにしても良い。側板は、基台２と支柱３の側面に沿って立ち上がり、一方もしくは両方を開閉もしくは着脱自在な構造とする。これにより、フック９をレール４ａ，４ｂに沿って摺動させることで、解放された側板のがわから各段の緑化パネル６を外部に引き出すことが可能となる。こうした構造は、特に、特定の緑化パネル６のみを取り替えあるいはメンテナンスする際に有効である。
【００４７】
また、同様に図示しないが、支持体１には、最上段の緑化パネル６の上面を覆う天板が取付けられる。基台２の底部には、本緑化構造体を移動可能とするキャスタやローラが設けられる。更に、支持体１の背面には、背面板が取付けられる。
【００４８】
支持体１に緑化パネル６を支持させた本緑化構造体には、緑化パネル６の背後に液供給手段としての潅水装置１０が設置される。潅水装置１０は、各緑化パネル６の緑化ブロック７に水もしくは液肥（以下、水等という）などを供給する。
【００４９】
潅水装置１０は、図６に示すように、水等を貯溜するタンク１１と、水等を緑化ブロック６に噴霧させるノズル１２と、タンク１１とノズル１２とを連通させる供給管１３をと備える。タンク１１は、支持体１と離れて設けられ、水道管などの水供給源と連通される。供給菅１３は、支持体１の横架材背面に、支柱３に沿って立設される縦管１３ｂと、縦管１３ｂの長さ方向所定位置から横方向に延びる横管１３ｃと、縦管基端とタンク１１とを連通する主管１３ａとを有する。
【００５０】
縦管１３ｂは、緑化パネル６の左右幅間隔で、緑化パネル６の列の数だけ設けられる。
【００５１】
横管１３ｃは、緑化パネル６の高さ間隔で、緑化パネル６の段数分だけ設けられる。横管１３ｃには複数本のチューブ１３ｄが接続され、チューブ１３ｄの先端に針状ノズル１２が取付けられている。針状ノズル１２は、単一もしくは複数の開孔を有し、緑化ブロック６の背面もしくは上面の露出する部分（周面フレーム８ａ，８ａの間あるいは背面フレーム８ｂ、８ｂの間）に挿し込まれて、水等を緑化ブロック６の内部に送り込む。
【００５２】
縦管１３ｂと横管１３ｃは、支持体１の支柱間の空間、横架材４と背面板との間の空間に収納される。
【００５３】
主管１３ａには、中途にポンプ１５と電磁弁１６が介装され、コントローラ１４によって水等の供給が時間制御される。
【００５４】
この緑化仮設構造体の組立て及び使用法について説明する。
【００５５】
先ず、基台２に支柱３の基端部をボルトナット締めして左右の支柱３，３を立設する。支柱間の内面空間に潅水装置１０の縦管１３ｂと横管１３ｃを配設する。縦管１３ｂの基端部を水等の供給用の主管１３ａと接続する。
【００５６】
支柱３の側板に横架材４のＬ型ブラケット４ｃを固定して、前面に５段分のレールを横設する。緑化パネル６は、予め希望する植物を植生等した緑化ブロック７をフレーム体８に収容したものを用意する。緑化パネル６は、フレーム体８が帯板材によって形成されているので、比較的軽量で、取扱いが容易である。
【００５７】
横架材４の上レール４ａと下レール４ｂに緑化パネル背面の上下のフック９ａ，９ｂを掛止して、緑化パネル６を支持体前面に装着する。緑化パネル６は、下段のものからフック９を対応するレール８ａ，８ｂに引っ掛けることにより、上段に向けて順次取付けられる。横架材４の端部がわからレール８ａ，８ｂにフック９を挿入するようにして取付けることもできる。
【００５８】
次いで、各緑化パネル６の緑化ブロック７の露出部に横管から前方に引き出されたチューブ先端のノズル１２を挿し込む。
【００５９】
緑化パネル６を上下左右に連続的に取付けて支持体前面を覆った後、背板を取付けるとともに天板、及び側板を固定して、室内の希望する位置に配置する。必要によっては、転倒防止金具などによって壁面に支持体１を固定する。
【００６０】
これにより、室内に、起立する緑化面が構築される。緑化面を形成する緑化パネル６は、緑化ブロック７を収容するフレーム体８が帯板材によって形成され、緑化ブロック７の周面と背面の一部が適度に露出し、特に背面が支柱間の空間に露呈するので、通気性に富む。
【００６１】
コントローラ１４を動作させると、所定の時間ごとにタンク内の水等がポンプによって供給菅内に圧送される。圧送された水等は、主管１３ａから縦管１３ｂ、横管１３ｃを経て、チューブ先端のノズル１２より随時適量が緑化ブロック内に送り込まれる。電磁弁１６は、主管内の流れを分岐制御する。
【００６２】
緑化パネル６は、上下段のものが近接するようにして配置され、緑化ブロック周面の露出部が対面するので、上段の緑化パネル６を通過した余剰水等は、下段の緑化パネル６の緑化ブロック内に滴下浸透する。したがって、供給菅１３を介しての下段緑化パネル６への水分供給量は、ノズル１２の開孔径を小さくしたりあるいは開孔数を少なくするなどして、上段のものより少量になるように設定すると良い。
【００６３】
最下段の緑化パネル６の緑化ブロック内を通過した余剰水は、基台２のトレイ５に受けられ、必要に応じて引き出されて捨てられ、あるいはドレインホースを介して外部に放出される。
【００６４】
このようにして、潅水装置１０が駆動されることで、緑化構造体に水等が自動的に供給される。 また、余剰水等が不必要にフレーム体内に留まることはなく、背面の露出部から緑化ブロック内に適度の空気が流れ込むので、植栽された植物に根腐れなどを生じさせることもない。
【００６５】
一部の緑化パネル６に植栽されている植物の成長が思わしくない場合など、支持体１の側板を外すか開放し、当該特定の緑化パネル６の位置する段の側板がわの緑化パネル６から特定の緑化パネル６までを、順次レール４ａ，４ｂに沿って取り外す。特定の緑化パネル６を新しい緑化パネル６に交換した後、側板がわの端部より横方向にスライドさせるようにして、再度装着し、側板を取付ける。
【００６６】
緑化面を形成する植物の一部について他のものと異なる種類に変更したい場合、あるいは季節に応じた植物に変更したい場合など、緑化パネル６の交換は、同様の手順によって簡単に行うことができる。
【００６７】
緑化仮設構造体を解体するには、金ての緑化パネル６を横架材４に沿って取り外した後、横架材４を支柱３から取り外す。水等の供給管１３を取り除くとともに基台２から支柱３を取り外すことで、本仮設構造体は、緑化パネル６と、支柱３と、横架材４と、基台２とに分離される。側板と天板及び背面板は、分解作業中、適宜の工程でそれぞれ分離される。
【００６８】
図７は、本発明の別の実施例に係る緑化仮設構造体の正面図である。
【００６９】
この実施例では、支持体前面の緑化面を緑化パネル６によって連続的に覆い尽くすのではなく、一部に装飾パネル２６を配置するようにしたものである。図中、奇数段の右端と偶数段の左端に装飾パネル２６が配置され、他を緑化パネル６としてある。
【００７０】
装飾パネルの構造を図８に示す。
【００７１】
装飾パネル２６は、前面に緑化パネル６と同じ大きさの飾りプレート２７を有し、飾りプレート２７の裏側に、緑化パネル６の背面フレーム８ｂと同じもの２８が取付けられている。飾りプレート２７は、表面を単一色や複数色によって彩色したもの、図柄や文字を付したもの、絵画、写真、デザイン、あるいは各種広告など、種々のものを選定できる。
【００７２】
支持体１への装飾パネル２６の装着は、上記した緑化パネル６と同様に背面フレーム２８の上下のフック２９を支持体横架材４の上下のレール４ａ，４ｂに掛止させて行う。
【００７３】
緑化パネル６の構造は、前記実施例と異なるものではない。ただし、潅水装置１０から供給される水等が飾りプレート２７に滴下して汚れるのを避けるため、緑化ブロック６のフレーム体８は、緑化ブロック６の周面と背面のうち、少なくとも周面を全面的に覆うフレーム体を用いるのが望ましい。フレーム体８の背面をパンチングメタルによって覆い、パンチング開口から潅水装置１０のノズル１２を挿し込むようにすることもできる。パンチングメタルは、支柱間空間で緑化ブロック６の通気性も確保する。
【００７４】
緑化パネルの構造は、図８に示すものに限定されるものではなく、例えば、緑化パネルを装着後、不連続部を構成する開口に前方から押し込むようにして取付けられる構造でも良い。この場合、背面フレーム２８に設けられるフック２９は、レールの前面に押されて弾性的に変位し、レール溝に嵌りこんだ後に復帰して溝内に掛止される弾性爪によって構成すると良い。
【００７５】
上記実施例においては、装飾パネルの変わりに、ボックスパネルを用いることもできる。
【００７６】
ボックスパネルは、図示しないが、前面が開放される一方、背面に上記した実施例の上下フックを有する、奥行きのあるボックスタイプのパネルである。ボックスパネルの内部には、各種の装飾品や機器などが陳列あるいは載置される。
【００７７】
また、ボックスパネルには扉体を取り付けるようにしても良い。
【００７８】
図９は、潅水装置の他例を示す
【００７９】
この潅水装置２０では、緑化ブロック６への給水は、横管３３ｃの管壁に形成した多数の噴射孔３２から緑化ブロック６の上部周面に散布するようにして行われる。
【００８０】
縦管３３ｂの基端部は、電磁弁３６を介して主管３３ａと連通されている。縦管３３ｂは、前記した実施例と同じように緑化ブロック６の列の数だけ設けられそれぞれ緑化ブロック６の最上段の上部周面に達する長さを有する。横管３３ｃは、縦管３３ｂの上端にのみ設けられる。もちろん、各段ごとに対応する横管３３ｃを延設するようにしても良い。なお、同図中、３５はポンプである。
【００８１】
図１０と図１１は、本発明の別の実施例に係る緑化仮設構造体の正面図と側面図で、主として屋外に配置されるタイプのものを示す。なお、緑化パネルについては、緑化ブロックを取り外した状態で示してある。緑化ブロックの構成については、前記した実施例と同じである。
【００８２】
図中符合１０１は支持体で、左右一対の支柱材１０３，１０３と、支柱材１０３の高さ方向所定位置に複数段架け渡された横架材１０４とから成る。支柱材１０３は、丸パイプによって形成され、横架材１０４は、図３から図５の例と同じようにレール材によって構成されている（図１２参照）。支柱材１０３の下端には、ジャッキベース１０２が取付けられ、高さ調整自在となっている。
【００８３】
横架材１０４は、連結金具１０５を介して両側端を支柱材１０３に連結されている。連結金具１０５は、楔式構造のものが採用され、図１２に示すように、支柱材１０３がわに設けられる楔受けリング１０５ａと、横架材１０４がわに設けられる楔受けブロック１０５ｂ、楔本体１０５ｃ、取付けアーム１０５ｄ、及び傾斜固定板１０５ｅを備える。
【００８４】
楔受けリング１０５ａは、板面に楔受け孔が放射状に形成され（図示せず）、支柱材１０３の外周の高さ方向所定位置に水平に嵌め込み固定されている。
【００８５】
楔受けブロック１０５ｂは、一側中間部に楔受けリングの板面を部分的に挿入可能な凹溝１０５ｆを有し、上下方向に楔打込み孔が貫通形成されている。
【００８６】
楔受けブロック１０５ｂの他側には、取付けアーム１０５ｄが水平に張り出すように溶着されている。水平な取付けアーム１０５ｄの先端には、Ｌ型の傾斜固定板１０５ｅがボルト及びナットを用いて着脱自在に固定されている。傾斜固定板１０５ｅは、約６０度に後傾した状態で取付けアーム１０５ｄに固定されている。傾斜固定板１０５ｅの前面には、上下一対のレール状横架材１０４が同様にボルトナット締めされて固定されている。
【００８７】
楔受けブロック１０５ｂの凹溝１０５ｆに楔受けリング１０５ａを挿入し、楔打込み孔と楔受け孔に楔本体１０５ｃを打ち込むことにより、連結金具１０５は横架材１０４を支柱材１０３に固定する。
【００８８】
横架材１０４には、前記した実施例と同じ構造の緑化パネル１０６が掛止される。緑化パネル１０６は、横架材１０４が斜め後方に傾斜している関係上、緑化ブロックの正面を日照方向に向けることになる。緑化パネル１０６の傾斜角度は、横架材１０４の固定される傾斜固定板を任意角度に調節可能な構造とすることによって、変更可能となる。この場合、緑化パネル１０６が日照方向に段階的に追随可能な緑化仮設構造体を得ることができる。
【００８９】
図１０と図１１の実施例に係る緑化仮設構造体は、緑化パネル１０６が左右方向に連続し、上下方向に隙間をあけて配設されているが、図１３と図１４に示すように左右方向に連続するともに正面から見て上下方向にほとんど隙間を持たない構造にすることもできる。
【００９０】
図１５は、本発明の更に別の実施例に係る屋外設置型緑化仮設構造体の外観斜視図を示す。
【００９１】
本実施例では、支持体２０１を構成する横架材２０４が直線状の丸パイプから成る。横架材２０４は、支柱材２０３との交差部をクランプ２１１によって固定されている。
【００９２】
本実施例での緑化パネル２０６は、図１６から図１８に示すフレーム体２０８を備える。このフレーム体は、帯板片の両側を長く起立させた前後フレーム片２０８ａと左右フレーム片２０８ｂの互いの底面を十字状に交差させて成る。緑化ブロック２０７（図１５参照）は、このフレーム体２０８に上方から嵌め込まれている。フレーム体２０８の前後フレーム片２０８ａの背面にはクランプ２０８ｃが固定されている。
【００９３】
したがって、緑化パネル２０６は、横架材２０４の長さ方向任意位置にフレーム体２０８のクランプ２０８ｃを装着することにより、支持体２−１に支持される。装着手段としてクランプ２０８ｃを用いることから、緑化パネル２０６を丸パイプ材から成る支柱材２０３に装着させることもできる（図１５参照）。
【００９４】
この緑化仮設構造体は、横架材２０４あるいは支柱材２０３の適所から背後にワイヤで牽引して起立状態を補強するようにしても良い。
【００９５】
図１９は、更に別の実施例に係る屋外設置型緑化仮設構造体の外観斜視図を示す。
【００９６】
本実施例では、支持体３０１を構成する横架材３０４は、丸パイプ材を馬蹄型に湾曲形成して成る。支柱材３０３は、この横架材３０４を水平に支持するために、横架材３０４に沿う位置に４箇所立設されている。横架材と支柱材とは、交差箇所を溶着もしくはクランプによって連結されている。
【００９７】
緑化パネル３０６は、図１６から図１８と同じ構造のフレーム体を持つものが採用され、横架材３０４の適宜箇所にフレーム体背面のクランプを介して装着されている。
【００９８】
したがって、この緑化仮設構造体によれば、単に上下左右方向に連続する緑化面でなく、前方に突出するように湾曲した緑化面を得ることができる。
【００９９】
図２０と図２１の実施例は、緑化パネル４０６のフレーム体４０８を線材によって屈曲形成してある。フレーム体４０８は、基本的に上記図１６から図１８の板材より成るフレーム体の外周をかたどった前後フレーム辺４０８ａと左右フレーム辺４０８ｂを、互いの底辺を十字状に交差させて成る。緑化ブロック４０７は、このフレーム体４０８に上方から嵌め込まれている。
【０１００】
両図の実施例が図１６から図１８の実施例に係る緑化パネルのフレーム体と異なる点は、フレーム体４０８が線材によって形成されている点と、装着手段として、前後フレーム辺４０８ａの背面にクランプでなく断面コ字状の固定片４０８ｃが開口を下向きにして固定されている点である。
【０１０１】
この緑化パネル４０６は、例えば図２１に見られるような、枠体４０３の上枠部４０３ａに固定片４０８ｃを嵌着して取付けられる。枠体４０３としては、例えば建枠間に配置される養生パネルなどが用いられる。枠体内の網体部分に、緑化ブロック４０７に植栽されたつた状植物がからまって養生パネル全体を植生面とする。
【０１０２】
なお、屋外配置型の緑化仮設構造体（図１０〜図２１）の例では、図示しないものの、前記屋内配置型の緑化仮設構造体に用いた潅水装置を同様にして組み込むこともできる。こうした潅水装置による水供給あるいは有効肥料成分供給は、外部環境の変化を考慮したタイマーによる時間制御を行うことができる。また、設置環境の違いや、病気、害虫その他、植物の健康や健全な発育を阻害する因子を考慮し、土壌や根、葉、あるいは花についての継続観察データ（例えば乾燥度合いやｐＨあるいは成長度合いや害虫の存在の有無）を、健全状態時の測定データと比較してマイナス要因側に傾いた状態のときに自動的に適切な処置（ｐＨ調整剤、水分、薬剤などの散布）を行うようにしても良い。
【０１０３】
また、支持体は、支柱材と横架材との組合せにより種々のタイプを採用できる。例えば、支柱材を所要の間隔を置いて三点位置に立設し、隣り合う支柱材間に複数段にわたって横架材を架け渡すことにより、三角柱状の緑化面を構築させることができる。
【０１０４】
更に、複数本の前方支柱材と、これらの前方支柱材の後方に同様に所要の間隔を置いて立設された複数本の後方支柱材と、これら前方支柱材及び後方支柱材を連結する繋ぎ杆と、隣り合う前方支柱材同士もしくは後方支柱材同士を連結する横架材とから成る自立可能な骨組み体によって支持体を構成することにより、前面と背面の両面に緑化面を持つ仮設構造体を提供できる。
【産業上の利用可能性】
【０１０５】
本発明の緑化構造体は、フレーム体に緑化ブロックを収容した緑化パネルを支持体の横架材もしくは支柱材に装着手段によって着脱自在に装着することにより、支持体前面に多数の緑化パネルが連続もしくは不連続に配置された緑化面を構築するようにしてあるので、構築物と一体化されることなく簡単かつ容易に組み立て及び分解が可能な緑化仮設構造体を得ることができる。
【０１０６】
また、緑化パネルは、装着手段によって個別に支持体に装着されるので、壁面などに恒久的に固定されるものとは異なり、所望の植物が植栽された複数種類の緑化ブロックを任意に組み合わせることができ、望みの緑化面を簡単に得ることができるばかりでなく、部分的な緑化パネルの取り替えやメンテナンスも楽に行うことができる。
【０１０７】
また、本緑化構造体は、建物の壁面などの被緑化面と一体化されるものではなく、配置及び撤去並びに移動も簡単に行えるよう構成することが可能であるため、屋外のみならず建物内での緑化設備としても利用できる。
【０１０８】
更に、給液手段を備えた緑化仮設構造体によれば、特に室内に設置する場合に、植物の生育に必要な水や液肥などを適宜の時期に応分量だけ緑化ブロックに供給することができる。
【０１０９】
緑化パネルを傾斜させた状態で支持体に取付ける装着手段を採用することにより、特に屋外設置の場合に緑化ブロックの緑化面への日照を効率良く行うことができ、植物の良好な生育に寄与できる。また、傾斜角度の調整を可能とすることにより、緑化ブロックへの日照時間を植物あるいは季節に応じて増減できる。
【符号の説明】
【０１１０】
１  支持体
３  支柱
４  横架材
４ａ  上レール
４ｂ  下レール
６  下段緑化パネル
７  緑化ブロック
８  フレーム体
８ａ  周面フレーム
８ｂ  背面フレーム
９  フック
９ａ  上部フック
９ｂ  下部フック
【図１】
2011055843.tif 000003
【図２】
2011055843.tif 000004
【図３】
2011055843.tif 000005
【図４】
2011055843.tif 000006
【図５】
2011055843.tif 000007
【図６】
2011055843.tif 000008
【図７】
2011055843.tif 000009
【図８】
2011055843.tif 000010
【図９】
2011055843.tif 000011
【図１０】
2011055843.tif 000012
【図１１】
2011055843.tif 000013
【図１２】
2011055843.tif 000014
【図１３】
2011055843.tif 000015
【図１４】
2011055843.tif 000016
【図１５】
2011055843.tif 000017
【図１６】
2011055843.tif 000018
【図１７】
2011055843.tif 000019
【図１８】
2011055843.tif 000020
【図１９】
2011055843.tif 000021
【図２０】
2011055843.tif 000022
【図２１】
2011055843.tif 000023
【手続補正書】
【提出日】平成22年12月2日(2010.12.2)
【手続補正１】
【補正対象書類名】特許請求の範囲
【補正対象項目名】全文
【補正方法】変更
【補正の内容】
【特許請求の範囲】
【請求項１】
フレーム体に緑化ブロックを収容した緑化パネルと、
この緑化パネルの支持体と、
緑化パネルを支持体に着脱自在に装着する装着手段とを備え、
上記支持体は、少なくとも２本の支柱材とこの支柱材間に架け渡された横架材とを有し、
緑化パネルの背面もしくは両側を支持体の横架材もしくは支柱材に上記装着手段によって装着することにより、支持体前面に、多数の緑化パネルが連続もしくは不連続に配置された緑化面を構築した、ことを特徴とする緑化仮設構造体。